(57)【特許請求の範囲】
【請求項１】
着信を検出する手段と、子機との無線信号の送受信を行う第１の送受信部と、該第１の送受信部より送受信性能の劣る第２の送受信部とを有し、
前記着信検出手段が着信を検出すると、前記第１の送受信手段が着信があることを報知する為の信号を送信し続いて第１の子機からの応答信号を受信し、前記第１の送受信手段と前記第１の子機とが無線接続されている状態で、
前記第２の送受信手段が、第２の子機から通話要求を示す信号を検出すると、前記第１の送受信手段で使用されているチャンネルに移行するように要求する信号を前記第２の子機へ送信することを特徴とする親子電話装置の親機。
【請求項２】
請求項１記載の親子電話装置の親機であり、前記送受信手段はアナログ無線信号の送受信を行い、前記チャンネルは通話チャンネルであることを特徴とする親子電話装置の親機。
【発明の詳細な説明】
【０００１】
【発明の属する技術分野】
本発明は親子電話装置の親機に関する。
【０００２】
【従来の技術】
従来の通信装置（例えば、コードレス電話装置）は、一般的に１台の親機と１台以上の子機から構成されている。
【０００３】
又、このようなコードレス電話の内、子機を２台以上有する機種においては、子機どうしで通話（子機間通話）を可能とするものもある。
【０００４】
親機に１つのチューナを搭載し子機間通話を実現した機種においては、親機にはチューナが一つしか搭載されていない為、チューナの送話系及び受話系を夫々１つずつ使用して半二重通信方式により２台の子機間で子機間通話を行っている。
【０００５】
一方、親機に２つのチューナを搭載して、２つの送信系と２つの受信系を用いて全二重通信方式により２台の子機間で子機間通話を行う機種もあり、図５にその一例である電話装置の分解斜視図を示している。
【０００６】
親機に２つのチューナを搭載した装置は、例えば図５に示すように、第１の筐体１０に固定された基板１１に搭載された一方のチューナ（メインチューナ）１２をメインアンテナ１３に接続し、同じく基板１１に搭載された片方のチューナ（サブチューナ）１４を、基板上に配置された２つのサブアンテナ１５（送信サブアンテナ及び受信サブアンテナ）に接続し、上記第１筐体１０に、表示部やテンキー等を搭載した第２筐体２０を嵌め込んだ構成となっている。
【０００７】
又、このようにサブチューナにもメインアンテナを使用しない第１の理由は、メインアンテナよりサブアンテナが安価である為であり、第２の理由は、メインアンテナの配置された筐体側面と反対側の側面（ハンドセット側の面）に、サブチューナ用のメインアンテナを設けると、ユーザがハンドセットを取り難い為であり、第３の理由は、メインアンテナを２つ以上設けると美的外観上好ましくなく、最近では、アンテナ等の突出物があまりないスマートなデザインの方がユーザに好まれる傾向にある為である。
【０００８】
尚、上記構成の装置においては、サブアンテナは外部に露出しているメインアンテナと異なり筐体内部に形成されている為、外部に露出されたアンテナ（メインアンテナ）に接続されたメインチューナよりも、装置内部に配置されたアンテナ（サブアンテナ）に接続されたサブチューナの方が送受信の性能は悪くなっている。又、コストダウンを行う為にメインチューナとして送受信性能の良いチューナを使用し、サブチューナとして送受信性能の悪いチューナを使用することもある。
【０００９】
このようなコードレス電話装置において、外線からの着呼に応答して外線通話を開始する際には、図４のシーケンス図に示すように、親機と子機Ａ、子機Ｂとの間で無線接続が行われる。
【００１０】
図４において、まず、親機が回線から着信信号を検出すると、親機のメインチューナから外線着信信号（ＲＮＧ）を送信し、これに対して子機（例えば、子機Ａと子機Ｂの両方）が前記ＲＮＧ信号を受信すると、子機Ａ及び子機Ｂは応答信号（ＡＣＫ）を親機に送信する（Ｓ４０１ステップ）。
【００１１】
続いて、親機のメインチューナから、上記Ｓ４０１ステップで前記応答信号を送信した子機Ａ及びＢに対して着信音制御信号（ＣＡＬＬ）が送信される（Ｓ４０２ステップ）。
【００１２】
尚、前記外線着信信号（ＲＮＧ）及び応答信号（ＡＣＫ）は、制御チャンネル上で送受信され、Ｓ４０２ステップ以降にて親子間で送受信される信号は、通話チャンネル上で送受信される。又、一旦、通話チャンネルにて親子間が接続されると、親機と他の子機（未だ親機と接続されていない子機）は、制御チャンネル或いは通話チャンネルで無線接続を行うことはできない。
【００１３】
即ち、前記Ｓ４０１ステップ及びＳ４０２ステップにおいて、子機Ａのみが、前記ＲＮＧ信号を受信し前記ＡＣＫ信号を送信した場合には、親機のメインチューナから送信されるＣＡＬＬ信号は、前記子機Ａのみが受信可能となる。また、子機Ｂについても同様である。
【００１４】
続いて、子機（例えば、子機Ａ）のユーザが着信音に応答し、通話キーの押下操作を行うと、子機Ａから親機へ外線通話要求信号（ＴＥＬ）が送信され、これに対して親機のメインチューナは、子機Ａへ応答信号（ＡＣＫ）を送信する（Ｓ４０３ステップ）。
【００１５】
その後、発呼側と子機Ａとの間で通話が開始され、子機Ａのユーザが切キーの押下操作を行うと、子機Ａから親機へ終話要求信号（ＥＮＤ）が送信され、これに対して親機のメインチューナから子機Ａへ応答信号（ＡＣＫ）が送信され、通話が終了する（Ｓ４０４ステップ）。
【００１６】
尚、子機Ｂのユーザが呼出音に応答する際にも、前記子機Ａと親機間で同様な処理が行われる。
【００１７】
【発明が解決しようとする課題】
このような親子電話装置の親機において、外線からの着信時（親機のメインチューナから子機へ着信音制御信号（ＣＡＬＬ）を送信している際）に、子機Ｂが電源スイッチを有するタイプでありスイッチが切られていた場合や、子機Ｂが親機の電波の届かない場所にいた場合には、子機Ｂのユーザがすぐさま電源スイッチをオンにしたり、親機の電波が届く位置に移動しても、片方のチューナ（メインチューナ）と子機Ａとが制御チャンネルでの接続を終了しかつ通話チャンネルで接続されている為、子機Ｂは親機のメインチューナからの着信音制御信号（ＣＡＬＬ）を受信することができず、その結果着呼に応答することができない。
【００１８】
このような問題を解決する為には、親機のメインチューナから子機Ａへ着信音制御信号（ＣＡＬＬ）を送信している際に、子機Ｂのユーザが通話キーを押下する等の操作を行うことにより、子機Ｂから親機のサブチューナへ通話開始要求を示す信号を送信し、親機のサブチューナを介して子機Ｂと発呼側との間で通話路を形成するという通信処理方法が考えられる。
【００１９】
しかし、上述したようにサブチューナはメインチューナに比べて通話品質が悪くノイズが入り易い為子機を用いて外線通話を行う際には、可能な限りメインチューナを用いて親子間で通話路を形成することが好ましい。しかし、上述のように親機のメインチューナは、子機Ａへ着信音制御信号（ＣＡＬＬ）を送出する為に使用しているので、子機Ｂと親機との間の通話は親機のサブチューナを使用せざるを得ない。
【００２０】
又、他の解決方法として、親機のメインチューナから子機Ａへ着信音制御信号（ＣＡＬＬ）の送信中に、子機Ｂから親機のサブチューナへ通話開始要求を示す信号を送信することにより親機のサブチューナと子機Ｂとを接続し、続いて親機のメインチューナと子機Ａとの間の無線接続を解除し、最後に親機のメインチューナと子機Ｂとの間で無線接続を行うことが考えられるが、このようにすると無線接続に時間がかかりすぎる為、ユーザが直ちに着呼に応答したいのに、応答できないという問題が生じる。
【００２１】
【課題を解決するための手段】
本発明はこのような課題を解決する為のものであり、親機に複数のチューナを搭載した親子電話装置の親機において、外線着信時に一方の子機が電源ボタンを切状態にしていた等の理由により即座に親機と無線接続できなかった場合でも、送受信特性の良いメインチューナで親機と子機間で通話路を形成することを実現するものであり、
請求項１記載の親子電話装置の親機は、回線と接続され、回線からの着信を検出する手段と、子機との無線信号の送受信を行う第１及び第２の送受信手段と、を有し、前記着信検出手段が回線からの着信を検出すると、前記第１の送受信手段が着信があることを報知する為の信号を子機へ送信し、前記第２の送受信手段が、子機から通話要求を示す信号を検出すると、前記第１の送受信手段で使用されているチャンネルの情報をセットするように要求する信号を子機へ送信することを特徴とする。
【００２２】
請求項２記載の親子電話装置の親機は、請求項１記載の親子電話装置の親機であり、前記送受信手段はアナログ無線信号の送受信を行い、前記チャンネルは通話チャンネルであることを特徴とする。
【００２３】
【発明の実施の形態】
図１は、本発明を適用してなる実施例装置であるコードレス電話のブロック図を示している。
【００２４】
図１において、本実施例のコードレス電話は、親機１００と子機２００及び子機３００からなる。
【００２５】
親機１００において、制御部１１０は、以下に示す各回路の制御を司る。
【００２６】
網制御部１２０は、制御部１１０の制御に基づいて回線Ｌの閉結を行い、着信検出部１３０は、回線Ｌからの１６Ｈｚの着信信号の検出を行う。
【００２７】
ハンドセット１４０は、マイク１４１とスピーカ１４２からなる。
【００２８】
メインチューナ１５０及びサブチューナ１６０は、無線信号の送受信を行い、メインチューナ１５０は、筐体外部に露出しているメインアンテナ１５１と接続されており、一方、サブチューナ１６０は、筐体内部に形成されているサブアンテナ１６１と接続されている（例えば、図５の斜視図を参照）。
【００２９】
通話路切換部１７０は、制御部１１０の制御の下、上記網制御部１２０、ハンドセット１４０、メインチューナ１５０、サブチューナ１６０、の間における通話路の切換を行う。
【００３０】
入力部１８０は、テンキーと外線通話を指示するボタン（外線ボタン）と内線通話を指示するボタン（内線ボタン）と通話切断を指示するボタン（切ボタン）等からなる。
【００３１】
スピーカ１９０は、アンプ１９５から入力した着信音を送出する。
次に、子機２００において、制御部２１０は、以下に示す各回路の制御を司る。
【００３２】
チューナ２２０は、アンテナ２２５と接続されており、無線信号の送受信を行う。
【００３３】
通話路切換部２３０は、チューナ２２０、スピーカ２２１、マイク２２２、との間における通話路の切換等を行う。
【００３４】
入力部２４０は、通話キー、内線キー、切キー、テンキー等からなる。
【００３５】
表示部２５０は、上記入力部２４０から入力された電話番号や、外線着信時に親機を介して回線から入力した発呼側の電話番号等を表示する。
【００３６】
ブザー２６０は、アンプ２６５と接続されており、上記アンプ２６５を介して制御部２１０から入力した着信音を送出する。
【００３７】
バッテリー２７０と接続されたスイッチ２８０は、電源をオン／オフ切換する為のスイッチであり、ユーザの操作に基づいて上記スイッチ２８０がオンすることにより、子機２００の各回路に電力が供給される。
【００３８】
尚、子機３００の各回路３１０〜３８０は、夫々上記子機２００の各回路２１０〜２８０と同一の構成である為、説明を省略する。また、電話番号を格納するメモリ等、一般的なコードレス電話で使用される他の構成については、本発明と直接関係しない為、説明を省略する。
【００３９】
図２は、本発明を適用してなる第１実施例装置の動作を示す図であり、図１及び図２を用いて第１実施例装置の動作について以下に説明する。
【００４０】
図２のＳ１０１ステップにおいて、親機１００の制御部１１０が、着信検出部１３０から外線着信がある旨を示す信号を検出すると、メインチューナ１５０を制御することにより、外線着信があることを示す外線着信信号（ＲＮＧ）を送信させる。
【００４１】
尚、この時、子機３００は電源スイッチ３７０がオフとなっている或いは親機１００からの電波の届かない場所にいるとする。この為、子機３００は親機１００からの上記ＲＮＧ信号、ＡＣＫ信号を受信できない。
【００４２】
これに対し、子機２００の制御部２１０は、チューナ２２０から上記ＲＮＧ信号を受信したことを示す信号を検出すると、チューナ２２０を制御することにより応答信号（ＡＣＫ）を親機１００へ送信させる。
【００４３】
尚、上記ＲＮＧ信号とＡＣＫ信号は制御チャンネル上で送受信され、以下の無線信号は通話チャンネル上で送受信される。
【００４４】
続いてＳ１０２ステップにおいて、親機１００の制御部１１０は、メインチューナ１５０を制御することにより着信音制御信号（ＣＡＬＬ）を子機２００へ複数回送信させる。
【００４５】
一方、上記ＣＡＬＬ信号を受信した子機２００側では、制御部２１０がブザー２６０から着信音を送出させる。
【００４６】
Ｓ１０３ステップにおいて、子機２００のブザー２６０から着信音が送出されている際に、子機３００の電源スイッチ３８０をオンとする或いは、前記スイッチ３８０がオンであると共に子機３００のユーザが親機１００からの電波の届く範囲内へ移動し通話キーを押下すると、子機３００の制御部３１０は、次の制御を行う。
【００４７】
具体的には、子機３００の制御部３１０が入力部３４０から上記通話キーの押下を示す信号を入力すると、チューナ３１０から親機１００へ通話要求信号（ＴＥＬ）を送出させる。
【００４８】
一方、親機１００の制御部１１０が、サブチューナ１６０から上記ＴＥＬ信号を受信したことを示す信号を検出すると、現在メインチューナ１５０で使用している通話チャンネルをセットするよう指示する応答信号（ＡＣＫ）をサブチューナ１６０から子機３００へ送出させる。
【００４９】
続いて、子機３００の制御部３１０が、チューナ３２０から上記ＡＣＫ信号を受信したことを示す信号を検出すると、上記ＡＣＫ信号で指定された通話チャンネルに無線接続するようにチューナ３１０を制御し、子機３００は、親機１００のメインチューナ１５０から送信される信号を受信可能な状態となる。
【００５０】
尚、上記ＡＣＫ信号中は、ＡＣＫ信号受信から所定時間後に、後述する外線通話要求信号（ＴＥＬ）を自動的に送信するように要求するコマンドデータが含まれている。
【００５１】
続くＳ１０４ステップでは、親機１００の制御部１１０は、メインチューナ１５０を制御することにより着信音制御信号（ＣＡＬＬ）を複数回送信させる。
【００５２】
尚、この時、子機２００と子機３００は、受信のチャンネルを同一のチャンネルとしている為に、前記子機２００と子機３００の両方が親機のメインチューナからのＣＡＬＬ信号を受信可能となる。
【００５３】
一方、子機３００の制御部３１０は、チューナ３２０から上記ＣＡＬＬ信号を受信したことを示す信号を検出すると、ブザー３６０から呼出音を送出させる。
【００５４】
続くＳ１０５ステップにおいて、子機３００の制御部３１０がチューナ３２０を制御することにより、外線通話要求信号（ＴＥＬ）を自動的に親機１００へ送信させる。
【００５５】
一方、親機１００の制御部３１０は、メインチューナ１５０から上記外線通話要求信号（ＴＥＬ）を受信したことを示す信号を検出すると、上記メインチューナ１５０から子機Ｂへ応答信号（ＡＣＫ）を送信させる。
【００５６】
その後、子機３００の制御部３１０が、チューナ３２０から上記ＡＣＫ信号を受信したことを示す信号を検出すると、子機３００と外線との間で通話路が形成され、外線通話状態となる。
【００５７】
Ｓ１０６ステップにおいて、子機３００の制御部３１０が、入力部３４０から切キーの押下を示す信号を検出すると、チューナ３１０を制御することにより、終話要求信号（ＥＮＤ）を親機１００へ送信させる。
【００５８】
一方、親機１００の制御部１１０が、メインチューナ１５０から上記ＥＮＤ信号を受信したことを示す信号を検出すると、上記メインチューナ１５０を制御することにより、終話応答信号（ＡＣＫ）を、子機３００へ送信させる。
【００５９】
尚、上記終話応答信号（ＡＣＫ）には、親機１００の制御部１１０が演算した通話時間や料金等の情報が含まれている。
【００６０】
子機３００の制御部３１０が、チューナ３２０から上記ＡＣＫ信号を受信したことを示す信号を検出すると、上記ＡＣＫ信号に含まれていた通話時間や料金等を表示部３５０に表示させ、親機１００と子機３００との間における無線接続が切断される。
【００６１】
このように、第１実施例装置では、例えば子機３００のにおいて、外線着信の途中で元々切れていた電源スイッチ３８０をオンしても、子機３００のユーザが外線着信に応答できる。
【００６２】
又、子機３００の電源スイッチ３８０オン後の外線通話は、親機１００のメインチューナ１５０を介して行われる為、外線着信の途中に子機３００により着信応答した場合でも通話品質を劣化させることがない。
【００６３】
次に、第２の実施例装置について以下に説明する。
【００６４】
尚、第２実施例装置の親機１００と子機２００及び子機３００は、図１のブロック図と同一の構成である。又、図３は、第２実施例装置の動作を示すシーケンス図である。
【００６５】
図３のＳ２０１ステップ及びＳ２０２ステップにおいて、親機１００と子機２００及び子機３００は図２のＳ１０１ステップ及びＳ１０２ステップと同一の制御を行う為、説明を省略する。
【００６６】
Ｓ２０３ステップにおいて、子機２００のブザー２６０から着信音が送出されている際に、子機Ｂの電源スイッチが切られている等の原因により子機Ｂのブザーから着信音が送出されていない状態で、子機３００のユーザが電源スイッチ３８０をオンし、続いて通話キーを押下すると、子機３００の制御部３１０は次の制御を行う。
【００６７】
具体的には、子機３００の制御部３１０が入力部３４０から上記通話キーの押下を示す信号を入力すると、チューナ３１０から親機１００へ外線通話要求信号（ＴＥＬ）を送出させる。
【００６８】
一方、親機１００の制御部１１０が、サブチューナ１６０から上記ＴＥＬ信号を受信したことを示す信号を検出すると、現在メインチューナ１５０で使用している通話チャンネルをセットするよう指示する応答信号（ＡＣＫ）をサブチューナ１６０から送出させ、上記ＡＣＫ信号送出後にサブチューナ１６０の送受信動作を停止させる。
【００６９】
子機３００の制御部３１０は、チューナ３２０から上記ＡＣＫ信号を受信したことを示す信号を検出すると、上記ＡＣＫ信号で指定された通話チャンネルをセットするようにチューナ３２０を制御し、子機３００は、親機１００のメインチューナ１５０から送信される信号を受信可能な状態となる。
【００７０】
尚、上記ＡＣＫ信号中には、ＡＣＫ信号受信から所定時間後に、後述する外線通話要求信号（ＴＥＬ）を自動的に送信するように要求するコマンドデータが含まれている。
【００７１】
続くＳ２０４ステップにおいて、親機１００の制御部１１０は、メインチューナ１５０を制御することにより、子機２００のユーザに、子機３００が外線通話を開始することを報知する為の通話報知信号（ＣＮＧ）を送出させる。一方、子機２００の制御部２１０は、チューナ２２０を制御することにより、応答信号（ＡＣＫ）を親機１００へ送信させる。その後、子機２００は待機状態となり、子機３００は外線通話状態となる。
【００７２】
尚、Ｓ２０４ステップでは、第１実施例のＳ１０５ステップに示すように子機３００が外線通話要求信号（ＴＥＬ）を親機１００へ送信しなくとも、親機１００と子機３００は通話チャンネルで接続され、子機３００のユーザが外線通話可能な状態となる。
【００７３】
Ｓ２０５ステップでは、図２に示すＳ１０６ステップと同様に、親機１００のメインチューナ１５０と子機３００のチューナ３２０との間で終話要求及び応答の処理が行われる。
【００７４】
このように、第２実施例の親子電話装置の親機では、電源スイッチ３２０後の外線通話は親機１００のメインチューナ１５０を介して行われる為、子機３００が、外線着信の途中で着信応答した場合でも通話品質を劣化させることがないだけでなく、前記Ｓ２０４ステップで示すように、親機１００のメインチューナ１５０が子機２００から応答信号（ＡＣＫ）を検出すると、子機２００が待機状態へと移る為、第１実施例のＳ１０４ステップに示すように、親機のメインチューナ１５０から送信された着信音制御信号（ＣＡＬＬ）を子機２００のチューナ２２０が受信し、子機２００のブザー１６０から着信音が送出されることがない。これにより、子機２００のユーザが呼出音に応答することを防ぐことができる。
【００７５】
即ち、ユーザが子機３００で外線着信に応答しようとした際に、第三者が子機２００を用いて先に外線着信に応答する事態を防ぐことが可能である。
【００７６】
以上説明したように、本実施例の親子電話装置の親機は、外線着信中に子機３００が親機１００からの電波の届かない場所から電波の届く場所まで移動した場合や、当初切となっていた電源スイッチをオンとした場合でも、外線着信に応答できる。
【００７７】
又、子機３００が外線着信に応答した場合には、一旦メインチューナ１５０と子機２００との接続を解除した後に上記メインチューナ１５０と子機３００との間で接続動作を実行するといった、時間の要する無線接続過程を経過しなくとも、親機１００のメインチューナ１５０と子機３００との間で即時に通話品質の高い通話路を形成することができる。
【００７８】
尚、本実施例ではコードレス電話装置について実施したが、ファクシミリ装置等他の通信機器についても本発明を適用することができる。
【００７９】
又、第２実施例では、子機２００の表示部に“子機３００外線通話開始”と表示することにより、子機２００のユーザに子機３００が外線通話を開始する旨を報知したが、子機３００のユーザに報知する方法は表示ではなく、ブザーやメロディー、電子音声等によりユーザに報知しても良い。
【００８０】
更に、本実施例では、メインチューナ１５０とメインアンテナ１５１とを接続すると共に、サブチューナ１６０とサブアンテナ１６１とを接続した構成としたが、メインチューナ１５０として送受信性能の良いチューナを使用し、サブチューナ１６０として送受信性能の悪いチューナを使用する構成とした際でもノイズの少ない通話を実現できる。
【００８１】
【発明の効果】
本発明の親子電話装置の親機は、外線着信時に、親機１００といずれの子機との間においても通話品質の高い通話路を形成することができる。
【図面の簡単な説明】
【図１】本発明を適用してなる実施例装置のブロック図である。
【図２】本発明を適用してなる第１実施例装置の親子間のシーケンス図である。
【図３】第２実施例装置の親子間のシーケンス図である。
【図４】従来の電話装置の親子間のシーケンス図である。
【図５】２つのチューナを搭載したコードレス電話の分解斜視図である。
【符号の説明】
１００  親機
１１０  制御部
１５０  メインチューナ
１６０  サブチューナ
２００  子機
２１０  制御部
２２０  チューナ
３００  子機
３１０  制御部
３２０  チューナ
【図１】
0003619787.tif 000002
【図２】
0003619787.tif 000003
【図３】
0003619787.tif 000004
【図４】
0003619787.tif 000005
【図５】
0003619787.tif 000006